(57)【要約】【課題】餌用生物、特に、フタホシコオロギに関して、販売者の負担を大きくすることなく、供給量を多くことができる餌用生物の供給方法を提供する。【解決手段】委託者は受託者に対して委託繁殖を行って販売する。委託者は、受託者に繁殖用のフタホシコオロギを送るに際して、運搬用ケース本体１０内に、餌５０と、仕切り板６０と、紙材７０とを入れ、雄のフタホシコオロギと雌のフタホシコオロギとを紙材７０とともに梱包する。上記の各物が梱包された運搬用ケース本体１０を受け取った受託者は、繁殖を行って増えたフタホシコオロギを委託者に送る。委託者は、受け取ったフタホシコオロギを購買者に販売する。【選択図】図３
2007295889.tif 000002
【特許請求の範囲】
【請求項１】
餌用生物の供給方法であって、
複数の通気孔が設けられた運搬用ケースで、雄の餌用生物と、雌の餌用生物と、餌とが梱包された運搬用ケースを繁殖の委託者が受託者に送る発送工程と、
該運搬用ケースを受け取った受託者により繁殖された餌用生物を委託者が受託者より送られて受領する受領工程と、
該委託者が受託者より送られた餌用生物を購買者に販売する販売工程と、
を有することを特徴とする餌用生物の供給方法。
【請求項２】
上記餌用生物が、フタホシコオロギであることを特徴とする請求項１に記載の餌用生物の供給方法。
【請求項３】
上記発送工程において、運搬用ケースの内底部に餌が収納されるとともに、該餌の上面に仕切り板が収納され、さらに、該仕切り板の上面に弾性材とともに複数の雄のフタホシコオロギと雌のフタホシコオロギとが収納されていることを特徴とする請求項２に記載の餌用生物の供給方法。
【請求項４】
上記弾性材が、紙材を立体状に丸めたものであることを特徴とする請求項３に記載の餌用生物の供給方法。
【請求項５】
餌用生物の運搬に用いる運搬用ケースであって、
箱状を呈し、複数の通気孔が設けられた運搬用ケース本体と、
該運搬用ケース本体内に収納される仕切り板であって、餌を収納するための収納空間と餌用生物を収納するための収納空間とを仕切る仕切り板と、
餌用生物を収納するための収納空間に収納するための弾性材で、餌用生物とともに収納する弾性材と、
を有することを特徴とする餌用生物の運搬に用いる運搬用ケース。
【請求項６】
上記弾性材が、紙材を立体状に丸めたものであることを特徴とする請求項５に記載の餌用生物の運搬に用いる運搬用ケース。
【発明の詳細な説明】
【技術分野】
【０００１】
本発明は、餌用生物の供給方法に関するものであり、特に、フタホシコオロギの供給方法とこれに用いる運搬用ケースに関するものである。
【背景技術】
【０００２】
従来より、爬虫類や両生類やカマキリ等の肉食昆虫の餌として、フタホシ（二星）コオロギが知られており、このフタホシコオロギは、ペットショップや動物園等の購買者に多く供給されているが、従来のフタホシコオロギの供給方法としては、販売者が自ら生産を行って、これを購買者に供給する方法が用いられていた。つまり、販売者が自らの養殖場において繁殖を行い、繁殖したフタホシコオロギを購買者に販売するのである。また、フタホシコオロギに限らず、餌用の生物の供給には、上記と同様の方法が取られていた。
【０００３】
なお、出願人は、先行技術文献の調査は行っておらず、記載すべき先行技術文献は存在しない。
【発明の開示】
【発明が解決しようとする課題】
【０００４】
しかし、上記のように販売者が自ら生産を行って購買者に供給する方法では、販売者の供給が購買者の需要に追いつかず、餌用生物の供給が不足するという問題が生じていた。特に、多くの餌用生物の繁殖を行おうとした場合には、販売者は大規模な養殖場を確保しなければならず、過大な負担となった。特に、フタホシコオロギはその需要が多いため、供給が追いつかないという問題があった。
【０００５】
そこで、本発明は、餌用生物、特に、フタホシコオロギに関して、販売者の負担を大きくすることなく、供給量を多くことができる餌用生物の供給方法を提供することを目的とするものである。
【課題を解決するための手段】
【０００６】
本発明は上記問題点を解決するために創作されたものであって、第１には、餌用生物の供給方法であって、複数の通気孔が設けられた運搬用ケースで、雄の餌用生物と、雌の餌用生物と、餌とが梱包された運搬用ケースを繁殖の委託者が受託者に送る発送工程と、該運搬用ケースを受け取った受託者により繁殖された餌用生物を委託者が受託者より送られて受領する受領工程と、該委託者が受託者より送られた餌用生物を購買者に販売する販売工程と、を有することを特徴とする。
【０００７】
上記第１の構成の餌用生物の供給方法においては、受託者により委託繁殖を行って販売するので、販売者は、大規模な養殖場を確保する必要がなく、販売者の負担を大きくすることなく供給量を多くすることができる。
【０００８】
また、第２には、上記第１の構成において、上記餌用生物が、フタホシコオロギであることを特徴とする。すなわち、フタホシコオロギは、繁殖力が強く、家庭等においても容易に繁殖させることができるものであるので、委託繁殖による供給に非常に適しているといえる。
【０００９】
また、第３には、上記第２の構成において、上記発送工程において、運搬用ケースの内底部に餌が収納されるとともに、該餌の上面に仕切り板が収納され、さらに、該仕切り板の上面に弾性材とともに複数の雄のフタホシコオロギと雌のフタホシコオロギとが収納されていることを特徴とする。このように、仕切り板が設けられているので、餌と餌用生物とを仕切って、餌と餌用生物を取り出す際に取り出しやすくすることができる。また、弾性材が収納されるので、餌用生物を衝撃等から保護することができる。
【００１０】
また、第４には、上記第３の構成において、上記弾性材が、紙材を立体状に丸めたものであることを特徴とする。
【００１１】
また、第５には、餌用生物の運搬に用いる運搬用ケースであって、箱状を呈し、複数の通気孔が設けられた運搬用ケース本体と、該運搬用ケース本体内に収納される仕切り板であって、餌を収納するための収納空間と餌用生物を収納するための収納空間とを仕切る仕切り板と、餌用生物を収納するための収納空間に収納するための弾性材で、餌用生物とともに収納する弾性材と、を有することを特徴とする。
【００１２】
上記第５の構成の運搬用ケースにおいては、通気孔が設けられているので、餌用生物が酸欠状態になるのを防止することができ、また、仕切り板が設けられているので、餌と餌用生物とを仕切って、餌と餌用生物を取り出す際に取り出しやすくすることができる。また、弾性材が収納されるので、餌用生物を衝撃等から保護することができる。
【００１３】
また、第６には、上記第５の構成において、上記弾性材が、紙材を立体状に丸めたものであることを特徴とする。
【発明の効果】
【００１４】
本発明に基づく餌用生物の供給方法によれば、餌用生物、特に、フタホシコオロギに関して、販売者の負担を大きくすることなく、供給量を多くことができる。また、餌用生物の運搬に用いる運搬用ケースによれば、本発明の餌用生物の供給方法に使用でき、通気孔が設けられているので、餌用生物が酸欠状態になるのを防止することができ、また、仕切り板が設けられているので、餌と餌用生物とを仕切って、餌と餌用生物を取り出す際に取り出しやすくすることができ、さらに、弾性材が収納されるので、餌用生物を衝撃等から保護することができる。
【発明を実施するための最良の形態】
【００１５】
本発明においては、餌用生物、特に、フタホシコオロギに関して、生産者の負担を大きくすることなく、供給量を多くことができる餌用生物の供給方法を提供するという目的を以下のようにして実現した。
【００１６】
すなわち、販売者１００は、購買者３００に対して、餌用生物としてのフタホシコオロギを販売するが、販売者１００は、委託者として受託者２００−１〜２００−ｎに対してフタホシコオロギの繁殖（養殖としてもよい）を委託して、受託者２００−１〜２００−ｎにおいて養殖されたフタホシコオロギを買い受けて、購買者３００に販売するものである。
【００１７】
ここで、餌用生物としてのフタホシコオロギの供給方法についてさらに詳細に説明すると、以下のようになる。
【００１８】
すなわち、委託者としての販売者１００は、受託者を募り、各受託者２００−１〜２００−ｎと繁殖委託契約を結ぶ。そして、販売者１００は、受託者２００−１〜２００−ｎにおける各受託者に対して、雄のフタホシコオロギと、雌のフタホシコオロギと、餌を搬送する。
【００１９】
この搬送に際しては、図２、図３に示す運搬用ケース本体１０が用いられる。ここで、運搬用ケース本体１０について説明すると、運搬用ケース本体１０は、底面部１２と、側面部１４と、側面部１６と、側面部１８と、側面部２０と、上面部２２とを有している。この底面部１２は、方形状の板状を呈し、また、側面部１４〜２０は、底面部１２の各辺部から立設し、方形状を呈し、板状を呈している。側面部１４と側面部１８とは同大同形状に形成され平行に設けられている。また、側面部１６と側面部２０とは同大同形状に形成され平行に設けられている。また、上面部２２は、片部２４と片部２６と片部２８と片部３０とから構成され、片部２４は、側面部１４の上端から折れ線を介して連設され方形状を呈し、片部２６は、側面部１６の上端から折れ線を介して連設され方形状を呈し、片部２８は、側面部１８の上端から折れ線を介して連設され方形状を呈し、片部３０は、側面部２０の上端から折れ線を介して連設され方形状を呈している。そして、片部２４と片部２８とは同大同形状に形成され、片部２６と片部３０とは同大同形状に形成されている。片部２４の横方向の長さは、側面部１４の横方向の長さと略同一であり、片部２６の横方向の長さは、側面部１６の横方向の長さと略同一であり、片部２８の横方向の長さは、側面部１８の横方向の長さと略同一であり、片部３０の横方向の長さは、側面部２０の横方向の長さと略同一となっている。また、片部２４と片部２８とを閉じた状態では、片部２４の端部と片部２８の端部とは互いに当接した状態となる。
【００２０】
また、運搬用ケース本体１０の側面には、通気孔群４０が設けられている。具体的には、側面部１４と側面部１８の略中央付近には、複数の通気孔により構成された通気孔群４０が形成されている。この通気孔は、直径２〜３ｍｍ程度の孔部であり、複数の通気孔により通気孔群４０が構成される。この通気孔群４０により、内部に収納されたフタホシコオロギが呼吸を行うことができるのである。この運搬用ケース本体１０は、段ボール材により形成されている。
【００２１】
なお、上記の説明では、通気孔群４０は、対向する側面部１４、１８にのみ形成するものとしたが、これには限られず、４つの側面部の全てに通気孔群４０を形成してもよい。
【００２２】
上記構成の運搬用ケース本体１０に雄のフタホシコオロギと、雌のフタホシコオロギと、餌を入れる。すなわち、図３に示すように、運搬用ケース本体１０の内底部に袋に入った餌５０を入れ、その上に、板状の仕切り板６０を入れる。この仕切り版６０は、例えば、段ボールの板材とする。この仕切り板６０は、餌５０を収納するための収納空間と餌用生物を収納するための収納空間とを仕切るものである。
【００２３】
次に、仕切り板６０の上に、新聞紙等の紙材７０（弾性材）とともにを入れて、雄のフタホシコオロギ（図示せず）と、雌のフタホシコオロギ（図示せず）を入れる。これらのフタホシコオロギは繁殖用のフタホシコオロギであり、雄のフタホシコオロギと雌のフタホシコオロギは、ともに複数入れるものとし、雄のフタホシコオロギと雌のフタホシコオロギとは同数を入れるのが好ましい。例えば、雄のフタホシコオロギを１００匹、雌のフタホシコオロギを１００匹とする。また、雄のフタホシコオロギと雌のフタホシコオロギはともに成虫を入れる。また、紙材７０は、立体状に丸めた状態とするのが好ましく、好ましくは、新聞紙等の薄手の柔らかい紙材を丸めたものとする。このように、フタホシコオロギは、紙材７０とともに梱包されるので、運搬時の衝撃からフタホシコオロギを保護することができる。なお、上記運搬用ケース本体１０と仕切り板６０と紙材７０とで上記運搬用ケースが構成される。
【００２４】
以上のようにして、運搬用ケース本体１０への梱包が完了したら、運搬用ケース本体１０を受託者２００−１等に送る。
【００２５】
運搬用ケース本体１０を受け取った受託者２００−１等は、運搬用ケース本体１０内の雄のフタホシコオロギと雌のフタホシコオロギと餌を取り出して、繁殖を行う。つまり、別途飼育用のケース（例えば、ボールの箱）を用意して、雄のフタホシコオロギと雌のフタホシコオロギと餌を入れておく。このように、ケース内で、雄のフタホシコオロギと雌のフタホシコオロギと餌を入れておくのみで繁殖させることができるので、家庭においても簡単に繁殖させることが可能となる。
【００２６】
すると、該ケース内で繁殖が行われて、フタホシコオロギの数が増加していく。すなわち、１匹の雌のフタホシコオロギは、一生で数百匹（例えば、３００匹）の卵を産むとされていて、その繁殖力は強いので、フタホシコオロギの数は急激に増加していく。
【００２７】
そして、フタホシコオロギの数が増加したら、受託者２００−１は、販売者１００にフタホシコオロギを送る。この場合には、段ボール等のケースに新聞紙等の紙材とともにフタホシコオロギを入れて送る。なお、受託者２００−１においては、数が増えたフタホシコオロギのうち、一部を繁殖用に残しておく。
【００２８】
受託者２００−１等からフタホシコオロギを送られた販売者１００は、送られた数に応じて受託者に金員を支払う。さらに、販売者１００は、購買者３００に送られたフタホシコオロギを販売する。
【００２９】
以上のように、本実施例の餌用生物（すなわち、フタホシコオロギ）の供給方法によれば、受託者により委託繁殖を行って販売するので、販売者は、大規模な養殖場を確保する必要がなく、販売者の負担を大きくすることなく供給量を多くすることができる。また、フタホシコオロギは、繁殖力が強く、家庭等においても容易に繁殖させることができるものであるので、委託繁殖による供給に非常に適しているといえる。
【００３０】
なお、上記実施例においては、餌用生物としてフタホシコオロギを例にとって説明したが、他の餌用生物であってもよい。
【図面の簡単な説明】
【００３１】
【図１】本実施例の餌用生物の供給方法を説明するための説明図である。
【図２】本実施例の運搬用ケースの構成を示す外観斜視図である。
【図３】本実施例の運搬用ケースに梱包する状態を示す分解斜視図である。
【符号の説明】
【００３２】
１００  販売者
２００−１〜２００−ｎ  受託者
３００  購買者
１０  運搬用ケース本体
１２  底面部
１４、１６、１８、２０  側面部
２２  上面部
６０  仕切り板
【図１】
2007295889.tif 000003
【図２】
2007295889.tif 000004
【図３】
2007295889.tif 000005